(57)【特許請求の範囲】
【請求項１】
磁気テープを巻装した単一のリールを回転可能に収容するカートリッジケースを備え、前記磁気テープの先端に該磁気テープを引き出すためのリーダピンが固着されてなる磁気テープカートリッジにおいて、
前記リーダピンは外周に前記磁気テープが巻き付けられるテープクランプ部を有し、該テープクランプ部に軸方向に延びるスリットを有した断面Ｃ形のクランプ部材を弾性的に嵌着して、磁気テープの先端にリーダピンを固着すると共に、少なくとも前記磁気テープと前記テープクランプ部の間に摩擦係数を高めるシート部材を介在させたことを特徴とする磁気テープカートリッジ。
【発明の詳細な説明】
【０００１】
【発明の属する技術分野】
本発明は、カートリッジケース内に磁気テープが巻装された単一のリールを回転可能に収容し、この磁気テープの先端に該磁気テープを引き出すためのリーダピンを固着してなる磁気テープカートリッジに関し、特に、上記磁気テープとリーダピンとの固着構造に関するものである。
【０００２】
【従来の技術】
従来、コンピュータ等の外部記憶装置に用いられる記録媒体として使用されている磁気テープカートリッジには、単一のリールに磁気テープを巻装し、このリールをカートリッジケース内に回転可能に収容したタイプのものが知られている。この磁気テープはコンピュータ等のデータ保存用として用いられ、重要な情報が記憶されているため、テープジャミング等のトラブルが発生しないように、また不用意に磁気テープが引き出されないように構成されている。
【０００３】
また、上記磁気テープの先端部にはこの磁気テープを引き出すためにリーダピンが固着され、このリーダピンを記録再生装置側の保持部材で保持して引き出し、磁気テープの巻き取り又は巻き戻しを行うようにドライブ装置が構成される。そして、上記リーダピンと磁気テープの結合は、リーダピンに設けた軸状のテープクランプ部の外周に磁気テープを巻き付け、断面Ｃ形のクランプ部材を弾性的に嵌着して、両者間に磁気テープの先端部分をクランプすることが考えられる。
【０００４】
【発明が解決しようとする課題】
しかして、上記のような磁気テープ先端へのリーダピンの固着構造において、磁気テープとリーダピンとの摩擦係数が低くクランプ力が不足してリーダピンが磁気テープから外れる恐れがある。
【０００５】
具体的には、前記磁気テープには磁気ヘッドとの接触摺動における摩擦の低減を図ることから、この磁気テープの磁性層への潤滑剤の添加又は表面への潤滑剤の塗布等を施して摩擦係数を低下させるようにしたものがある。また、磁気テープの裏面についても同様である。その場合に、磁気テープの種類によりステンレス等で形成されたリーダピンとの摩擦係数が異なり、この摩擦係数が小さいものでは、前記クランプ部材の嵌着による磁気テープのクランプ力が低くなることがある。
【０００６】
本発明は上記点に鑑みなされたもので、磁気テープ先端部へのリーダピンのクランプ力を高めて信頼性を確保するようにした磁気テープカートリッジを提供せんとするものである。
【０００７】
【課題を解決するための手段】
上記課題を解決した本発明の磁気テープカートリッジは、磁気テープを巻装した単一のリールを回転可能に収容するカートリッジケースを備え、前記磁気テープの先端に該磁気テープを引き出すためのリーダピンが固着され、前記リーダピンは外周に前記磁気テープが巻き付けられるテープクランプ部を有し、該テープクランプ部に軸方向に延びるスリットを有した断面Ｃ形のクランプ部材を弾性的に嵌着して、磁気テープの先端にリーダピンを固着すると共に、少なくとも前記磁気テープと前記テープクランプ部の間に摩擦係数を高めるシート部材を介在させたことを特徴とするものである。
【０００８】
前記シート部材は前記磁気テープに固着してもよく、この場合には磁気テープとリーダピンの結合作業性の点から好適である。
【０００９】
また、前記シート部材は前記磁気テープに非固着としてもよく、この場合には磁気テープがリーダピンの近傍で繰り返しの屈曲を受ける際に、磁気テープのクランプ位置ずれが生じて屈曲耐久性が向上する点で好適である。
【００１０】
前記シート部材は、ポリエステル等によるプラスチックシート、プラスチックフィルム、エラストマ等の発泡シート、ラミネートフィルム、ラミネート紙などの可撓性帯状部材全般をいう。その表面とリーダピンとの摩擦係数は、磁気テープ表面とリーダピンとの摩擦係数より高いものが選択使用される。
【００１１】
【発明の効果】
上記のような本発明によれば、磁気テープの先端部にリーダピンをクランプ部材の嵌着によって固着するについて、少なくとも磁気テープとテープクランプ部との間に摩擦係数を高めるシート部材を介在させたことにより、磁気テープの表面とリーダピンとの摩擦係数が低いものでも、シート部材の介在によりこのシート部材とリーダピンとの摩擦係数は高まって磁気テープのクランプ力が増大し、リーダピンが外れることが防止でき信頼性が確保できる。
【００１２】
また、ドライブ装置でのリーダピンの脱着時における磁気テープのテープクランプ部付近の補強の役割も奏することができる。
【００１３】
【発明の実施の形態】
以下、図面に示す実施の形態に基づいて本発明を詳細に説明する。図１はこの実施の形態の磁気テープカートリッジの分解斜視図である。
【００１４】
磁気テープカートリッジ１は、上ケース２と下ケース３とがビス等により締結されてなるカートリッジケース４内に、先端にリーダピン５が固着された磁気テープ６を巻装した単一のリール７が回動可能に収容されている。上記上下ケース２，３の一側壁には、磁気テープ６を引き出すための開口部１０が形成され、この開口部１０は図示しない弾性手段で閉方向に付勢されたスライドドア１１により開閉される。
【００１５】
また、磁気テープカートリッジ１はその不使用時に磁気テープ６が完全にリール７に巻き込まれた状態で、先端のリーダピン５が開口部１０の近傍に形成された凹状の格納部２０に係止される。
【００１６】
前記リーダピン５は、磁気テープカートリッジ１を使用する記録再生装置のドライブ装置が磁気テープ６を装置内のテープ走行路に導入するために保持して引き込むものであり、このリーダピン５に磁気テープ６をクランプする後述のクランプ部材５５（図２，図３参照）が嵌着され、また、上記リーダピン５を前記格納部２０に着脱可能に保持する板バネによるロック部材９が設置されている。
【００１７】
なお、図１において、上下ケース２，３は略矩形状に形成され、上壁２ａ及び底壁３ａの周囲に側壁２ｂ，３ｂが設けられ、内部にはリール７の外周に沿う円弧状の内壁３ｃ（上ケース２については図示せず）が設けられている。下ケース３は前記側壁３ｂと内壁３ｃとの間に配設された４カ所のボス部３ｄ（開口部１０近傍のボス部はスライドドア１１で隠れている）を上ケース２の不図示のボス部と当接させて、底面からビスを締め付けて重ね合わせ状態で締結される。
【００１８】
また、前記下ケース３の中心部にはドライブ装置の駆動軸によって前記リール７を回転駆動するためのセンター穴３ｅが開口され、カートリッジケース４の後端部には書き込み防止用のライトプロテクタ部材１３が摺動可能に配設される。前記リール７の中心部には、不使用状態におけるリール７の回転を拘束する回転規制機構１５が設けられる。
【００１９】
その他、図示していないが、リール７の底面には中央部にマグネット式の回転駆動手段を吸引保持させるためのリールプレートが取り付けられ、外周部には回転駆動手段のドライブギヤと噛合するリールギヤが刻設されている。なお、リールギヤとドライブギヤが噛合した状態においては前記回転規制機構１５が解除作動してリール７が回転自在とされる。
【００２０】
前記リーダピン５は図２及び図３に示すように、磁気テープ６の先端部を巻き付けて断面Ｃ形のクランプ部材５５の嵌着によりクランプする軸状のテープクランク部５１を中央に有し、このテープクランプ部５１の上下両側に板状の上下フランジ部５２，５２が連設され、さらに上下フランジ部５２の上下に記録再生装置側から係合保持される細い係合部５３，５３がそれぞれ軸方向に延びて形成され、両端にはケース固定用の固定部５４，５４が形成されてなる。
【００２１】
前記リーダピン５は例えば金属棒（ステンレス鋼等）の削り出しによって形成され、そのテープクランプ部５１の長さは磁気テープ６の幅に設けられている。
【００２２】
前記クランプ部材５５は樹脂成形品であり、前記リーダピン５のテープクランプ部５１の長さに相当する軸方向長さを有し、その全長に渡って軸方向に延びるスリット５５ａが開口された断面Ｃ形で外周面５５ｂと内周面５５ｃと端面５５ｄとで形成される。上記スリット５５ａの幅は前記テープクランプ部５１の外径より狭く、このスリット５５ａを拡げるようにクランプ部材５５を変形させつつテープクランプ部５１の外周に弾性的に嵌着可能に設けられている。
【００２３】
そして、図３及び図４に示すように、前記磁気テープ６と前記リーダピン５とを前記クランプ部材５５を嵌着して固着するについて、前記磁気テープ６と前記テープクランプ部５１の間に、両者間の摩擦係数を高めるシート部材８が介在されている。このシート部材８は粘着シート等の接着性を有するもので、前記磁気テープ６の片面に固着されている。嵌着状態においては、シート部材８の表面がテープクランプ部５１の表面に接触し、磁気テープ６の外面がクランプ部材５５の内周面５５ｃと接触する。
【００２４】
前記シート部材８としては、ポリエステル等によるプラスッチックシート、発泡シート、ラミネートフィルム、ラミネート紙などの可撓性帯状部材の片面に接着層（粘着層）が設けられたものが使用され、その表面とリーダピン５との摩擦係数は、磁気テープ６の表面とリーダピン５との摩擦係数より高いものが選択される。
【００２５】
本実施形態によれば、磁気テープ６の先端部にリーダピン５をクランプ部材５５の嵌着によって固着するについて、磁気テープ６とテープクランプ部５１との間にシート部材８を介在させたことにより、このシート部材８とリーダピン５との摩擦係数は高くなって磁気テープ６のクランプ力が増大し、リーダピン５が外れることによる使用不能となることが防止できる。また、粘着テープ等の接着性を有するシート部材８を予め磁気テープ６に接着することにより、磁気テープ６とリーダピン５の結合工程の作業性が良好となる。
【００２６】
次に、他の実施の形態としては、詳細は図示していないが、前記シート部材８は接着性を有さず、磁気テープ６とリーダピン５との間にこのシート部材８を、磁気テープ６とは非接着で介在させるものである。このシート部材８は、前記例と同様に摩擦係数が高く、リーダピン５に対するクランプ力が増大して、磁気テープ６とリーダピン５との離脱を防止する。
【００２７】
本実施形態においては、前記リーダピン５を保持したドライブ装置側の保持ブロックが、そのままドライブ装置の巻取りリールに嵌合して回転駆動されるものがあり、その場合に磁気テープ６がリーダピン５の近傍で鋭角に繰り返し屈曲されると、この部分で磁気テープ６が劣化し耐久性上の問題となるが、非接着のシート部材８を介在させていることにより、磁気テープ６のクランプ位置に若干ずれが生じて屈曲位置が変化し、同一位置での屈曲が回避されて耐久性が向上するものである。
【００２８】
なお、前記実施の形態では、シート部材８は磁気テープ６とリーダピン５の外周面との間に介在させているが、これに加えて磁気テープ６とクランプ部材５５の内周面５５ｃとの間にも介在させるようにしてもよい。
【００２９】
また、クランプ部材５５は、樹脂成形品に限らず、金属の薄板等の他の材質で形成したものでもよい。
【図面の簡単な説明】
【図１】本発明の一つの実施の形態による磁気テープカートリッジの概略分解斜視図
【図２】クランプ部材をリーダピンに嵌着した状態を示す斜視図
【図３】磁気テープの先端とリーダピンとを結合する前の状態を示す斜視図
【図４】磁気テープとリーダピンとを結合した状態の断面端面図
【符号の説明】
１    磁気テープカートリッジ
２    上ケース
３    下ケース
４    カートリッジケース
５    リーダピン
６    磁気テープ
７    リール
８    シート部材
９    ロック部材
10    開口部
20    格納部
51    テープクランプ部
52    フランジ部
53    係合部
54    固定部
55    クランプ部材
55a   スリット
【図１】
0003707948.tif 000002
【図２】
0003707948.tif 000003
【図３】
0003707948.tif 000004
【図４】
0003707948.tif 000005